(57)【要約】【課題】  ビデオカメラを外力による損傷等を防止し得る収納状態にして携行することができると共に、撮影時には、ビデオカメラを把持している腕を手ぶれが生じないように支持することができ、また、撮影中断時には腕を楽にして疲れを緩和することができるカメラ撮影用手ぶれ防止具を提供する。【解決手段】  胴体部における両側面部に空気封入室４、４を設けてなる袋体１からなり、この袋体１内にビデオカメラを収納して空気封入室４により緩衝的に挟持させた状態で肩掛け紐10を肩に掛けて携行可能に構成していると共に、撮影時には、肩掛け紐10の周長を短くすることにより袋体１を脇に圧着、固定させ、この袋体１上に上腕を支持させて手ぶれを防止するように構成している。【選択図】    図６
2011049718.tif 000002
【特許請求の範囲】
【請求項１】
合成樹脂シートによって底面部とこの底面部の四方周縁から上方に向かって立ち上がった胴体部とによって内部にビデオカメラが収納可能な大きさの収納部を形成している袋体からなり、上記胴体部の両側面部に空気の注入によって縦筒状に膨脹する前後に並設した二つの空気封入室を設けて膨脹した際の空気封入室間の凹部を上腕受止部となるように形成してあり、さらに、袋体の前後部から上方に向かって調節止め具により長さ調節が可能な肩掛け紐を設けてなることを特徴とするカメラ撮影用手ぶれ防止具。
【請求項２】
袋主体の底面部に両側面部の全ての空気封入室に連通した空気通路室を設けていると共に、一つの空気封入室に開閉自在な注入口を設けていることを特徴とする請求項１に記載のカメラ撮影用手ぶれ防止具。
【請求項３】
袋体の側面部を形成している合成樹脂シートに、この合成樹脂シートと同じ大きさを有する合成樹脂シートを重ね合わせてこれらの合成樹脂シートの前後端部と上端縁部とを熱融着し、且つ、前後幅方向の中央部を縦方向に熱融着することによって下端が底面部の空気通路室に連通した開口部に形成している前後に並設した二つの空気封入室を形成していることを特徴とする請求項１又は請求項２に記載のカメラ撮影用手ぶれ防止具。
【請求項４】
肩掛け紐の一部を袋体の底面部の外底面から前後面部の上端部に亘って掛け渡していることを特徴とする請求項１に記載のカメラ撮影用手ぶれ防止具。
【発明の詳細な説明】
【技術分野】
【０００１】
本発明は、カメラやビデオカメラによって撮影する際に、手ぶれによる撮影ミスを防止するために使用する手ぶれ防止具に関するものである。
【背景技術】
【０００２】
従来から、カメラやビデオカメラによって撮影をする時に、三脚を用いてカメラやビデオカメラ（以下、ビデオカメラとする）を固定すれば手ぶれを防止することができるが、三脚は携行が面倒であると共にビデオカメラの取付けに手間を要し、その上、撮影位置を自由に変更することができないといった問題点がある。
【０００３】
このため、例えば、特許文献１に記載されているように、上腕を水平状に支持する副腕板の基端に下方に向かった副脇板を垂設すると共に上記副腕板の先端とこの副脇板の下端とをリンクによって連結し、さらに、副腕板に、この副腕板を上腕に固定するためのベルトを取付けてなり、ビデオカメラを撮影する際に、上記副腕板によって腕を支持しながら長時間に亘り疲れることなく手ぶれの生じない撮影を可能にするビデオ撮影用補助具が案出されている。
【０００４】
また、上記特許文献１には、別なビデオ撮影補助具として、上面を凹円弧状に湾曲した腕当面に形成していると共に前後面のいずれか一方を脇当面に形成し、且つ、上記腕当面の両側端にそれぞれ互いに連結可能なベルトを取付けてなる空気袋からなる補助具が記載されてあり、腕当面上に上腕を載せた状態にしてこの補助具を上腕に取付けたのち、脇当面を胸から脇にかけて当接、受止させることにより、腕を支持しながら手ぶれの生じない撮影が行えるように構成している。
【先行技術文献】
【特許文献】
【０００５】
【特許文献１】特許第３９２８１５７号公報
【発明の概要】
【発明が解決しようとする課題】
【０００６】
しかしながら、副腕板と副脇板とを備えている上記ビデオ撮影用補助具によれば、三脚と同様に携行が面倒であるばかりでなく、撮影者がこの補助具の副腕板を自分の上腕にベルトによって取付ける作業が極めて困難であり、その上、一旦、上腕に取付けると、撮影を中断した時でも腕の自由が抑制されて不快感が生じると共に肩凝り等の原因になるといった問題点がある。
【０００７】
一方、空気袋からなる上記ビデオ撮影用補助具によれば、構造が簡単で手軽に携行できるといった利点を有するが、上記補助具同様に、この補助具も空気袋の凹円弧状に湾曲した腕当面の両側端に取付けているベルトを上腕に巻装することによって取付けるものであるから、その取付作業を本人自身で行うには極めて困難で手間を要すると共に、腕当面に作用する上腕からの押圧力を、脇当面を介してこの脇当面を押し付けている胸から脇にかけて受止させているので、その反力が空気袋を前方に押し進める方向に作用して、上腕に巻装しているベルトが該上腕に沿って前方に摺動移動し、腕を安定した状態で支持することができなくなる虞れがあった。また、この補助具も、上腕に取付けて使用するので、上述したように撮影を中断した時でも腕の自由が抑制されるといった問題点がある。
【０００８】
本発明はこのような問題点に鑑みてなされたもので、その目的とするところは、手軽に携行し得るのは勿論、撮影時には身体に簡単に装着することができて、手ぶれを防止しながらビデオカメラによる安定した撮影を可能にし、さらに、撮影の中断時には腕を自由に動かして疲れを緩和することができ、また、不使用時にはビデオカメラを収納して携行することができるカメラ撮影用手ぶれ防止具を提供するにある。
【課題を解決するための手段】
【０００９】
上記目的を達成するために、本発明のカメラ撮影用手ぶれ防止具は、請求項１に記載したように、合成樹脂シートによって底面部とこの底面部の四方周縁から上方に向かって立ち上がった胴体部とによって内部にビデオカメラが収納可能な大きさの収納部を形成している袋体からなり、上記胴体部の両側面部に空気の注入によって縦筒状に膨脹する前後に並設した二つの空気封入室を設けて膨脹した際の空気封入室間の凹部を上腕受止部となるように形成してあり、さらに、袋体の前後部から上方に向かって調節止め具により長さ調節が可能な肩掛け紐を設けてなることを特徴とする。
【００１０】
このように構成したカメラ撮影用手ぶれ防止具において、請求項２に係る発明は、袋主体の底面部に両側面部の全ての空気封入室に連通した空気通路室を設けていると共に、一つの空気封入室に開閉自在な注入口を設けていることを特徴とする。
【００１１】
さらに、請求項３に係る発明は、袋体の側面部を形成している合成樹脂シートに、この合成樹脂シートと同じ大きさを有する合成樹脂シートを重ね合わせてこれらの合成樹脂シートの前後端部と上端縁部とを熱融着し、且つ、前後幅方向の中央部を縦方向に熱融着することによって下端が底面部の空気通路室に連通した開口部に形成している前後に並設した二つの空気封入室を形成していることを特徴とする。
【００１２】
また、請求項４に係る発明は、肩掛け紐の一部を袋体の底面部の外底面から前後面部の上端部に亘って掛け渡していることを特徴とする。
【発明の効果】
【００１３】
請求項１に係る発明によれば、合成樹脂シートによって底面部とこの底面部の四方周縁から上方に向かって立ち上がった胴体部とによって内部にビデオカメラが収納可能な大きさの収納部を形成している袋体からなり、この袋体の前後部から上方に向かって調節止め具により長さ調節が可能な肩掛け紐を設けてなるものであるから、撮影を行わない時にはこの袋体内にビデオカメラを収納して肩掛け紐により袋体を肩に掛けた状態にして手軽に携行することができると共に、撮影時には袋体内からビデオカメラを素早く取り出して撮影を行うことができる。
【００１４】
その上、袋体の上記胴体部の両側面部に、空気の注入によって縦筒状に膨脹する前後に並設した二つの空気封入室を設けているので、携行時には対向する両側面部の膨脹した空気封入室によってビデオカメラを該ビデオカメラの外形に沿って包み込むように挟持させることができて、ビデオカメラを確実に袋体内に収納しておくことができると共に袋体が外力からの衝撃力を受けても空気封入室のクッション性によってビデオカメラの損傷を防止することができる。
【００１５】
さらに、撮影時においては、肩掛け紐を調節止め具によってそのループ長を短くすることにより、袋体を撮影者の脇に押し付けた状態に簡単に固定することができ、この状態にして外側に向けている袋体の膨脹した空気封入室からなる側面部上に上腕部を載置、支持させることにより、ビデオカメラを把持した腕を安定的に固定させて手ぶれを防止しながら且つ腕の疲れを和らげながら撮影を行うことができる。その際、袋体の側面部における膨脹した空気封入室間によって凹部が形成されているので、この凹部に上腕を袋体に対して妄動させることなく受止させることができて手ぶれを防止しながら安定した姿勢でもって撮影をすることができる。
【００１６】
また、撮影を中断した際には、肩掛け紐により肩に支持させている袋体の側面部上からビデオカメラを把持している腕の受止を解いて腕を自由に動かせる楽な姿勢にすることができるので、ビデオカメラを長時間、把持していても肩凝りなどが生じるのを抑制することができると共に、撮影を行いたい場合には直ちに、上腕を上記袋体の側面部上に受止させて撮影を行うことができるものであり、さらに、撮影後には肩掛け紐を長くして袋体を腰部まで吊り下ろし、上記のようにビデオカメラを袋体内に収納して携行することができる。
【００１７】
請求項２に係る発明によれば、上記袋主体の底面部に両側面部の全ての空気封入室に連通した空気通路室を設けていると共に、一つの空気封入室に開閉自在な注入口を設けているので、この注入口から空気を注入することによって底面部に設けている空気通路室を通じて全ての空気封入室を一斉に膨脹させることができる。
【００１８】
さらに、請求項３に係る発明によれば、袋体の側面部を形成している合成樹脂シートにこの合成樹脂シートと同じ大きさの合成樹脂シートを重ね合わせてこれらのシートの前後端部と上端縁部とを熱融着し、且つ、前後幅方向の中央部を縦方向に熱融着することによって下端が底面部の空気通路室に連通した開口部に形成している前後に並設した上記二つの空気封入室を形成しているので、空気の注入によって縦筒状に膨脹する並設した二つの空気封入室からなる袋体の側面部を簡単に作製することができる。
【００１９】
また、請求項４に係る発明によれば、肩掛け紐の下部を袋体の底面部の外底面から前後面部の上端部に亘って掛け渡しているので、肩掛け紐によって袋体をその外底面から持ち上げるように安定した状態で支持させることができると共に、撮影時には、肩掛け紐を調節止め具によってそのループ長を短くすることにより、袋体全体をその外底面から撮影者の脇に強固に押し付けることができて手ぶれが生じ難い安定した支持を可能にすることができる。
【図面の簡単な説明】
【００２０】
【図１】本発明カメラ撮影用手ぶれ防止具の斜視図。
【図２】その一部を縦断した側面図。
【図３】平面図。
【図４】空気封入室を膨脹させている状態の底面図。
【図５】ビデオカメラを収納した状態の斜視図。
【図６】上腕を支持して撮影をしている状態簡略斜視図。
【図７】上腕を支持している空気封入室の断面図。
【図８】調節止め具の一例を示す縦断側面図。
【発明を実施するための形態】
【００２１】
次に、本発明の具体的な実施例を図面について説明すると、ビデオカメラによって撮影する際の手ぶれ防止具は、前後方向に長い矩形状の底面部２と、この底面部２の四方周縁から上方に向かって立ち上がっている胴体部３とによって形成された袋体１からなり、この袋体１の胴体部３における両側面部3a、3aに空気の注入によって縦筒状に膨脹する前後に並設した二つの空気封入室４、４をそれぞれ設けてあり、これらの空気封入室４、４を膨脹させた状態でこの袋体１を撮影者の脇に押し付けて固定すると共に、袋体１の胴体部３の一方の側面部3aにおける上記膨脹した前後空気封入室４、４間の凹部５上にビデオカメラＡを把持した腕における上腕部を支持させた状態で撮影を行うように構成している。  
【００２２】
この袋体１の構造を更に詳しく説明すると、袋体１は柔軟な非通気性の合成樹脂シートからなり、その底面部２を形成している前後方向に長い矩形状の合成樹脂シート2a1 における両側縁部と前後縁部とに、図２、図７に示すように、上記胴体部３における両側面部3a、3aを形成している合成樹脂シート3a1 の下端と、胴体部３における前後面部3b、3cを形成している合成樹脂シート3b1 、3c1 の下端とをそれぞれ連設していると共に、両側面部3a、3aを形成している合成樹脂シート3a1 、3a1 の前端間と後端間とを前後面部3b、3cを形成している合成樹脂シート3b1 、3c1 によって一体に連設して上記胴体部３を形成している。さらに、両側面部3a、3aの上端縁部をその前後両端から中央部に向かって下方に窪ませた凹状上縁部６に形成して撮影時にはこの凹状上縁部６を撮影者の脇の付け根に沿って押し付けて袋体１を固定可能に構成している。
【００２３】
また、袋体１の両側面部3a、3aを形成している上記合成樹脂シート3a1 、3a1 の内面に側面部3aと同大、同形の合成樹脂シート3a2 を重ね合わせてこれらの合成樹脂シート3a1、3a2 の前後端部と上端縁部とを熱融着17、18により一体に接合すると共に、これらの合成樹脂シート3a1 、3a2 の前後幅方向の中央部を縦方向の熱融着19により一体に接合し、且つ、これらの合成樹脂シート部3a1 、3a2 の下端縁部を上記中央熱融着部12の下端に連なる内端部を残して熱融着20により一体に接合することにより、これらの熱融着部17〜20によって囲まれた合成樹脂シート部3a1 、3a2 の対向面間の空間部を、中央部の熱融着部12を挟んで前後に並設した上記二つの空気封入室４、４に形成してなる構造を有している。これらの空気封入室４、４の下端には、上記熱融着されていない内端部によって底面部２に形成している後述する空気通路室７に連通した連通口８を形成していると共に、一つの空気封入室４の上端部に、この空気封入室４内に対して空気を出し入れ可能な空気注入口９を装着してあり、栓体10によってこの空気注入口９を開閉自在に閉止するように構成している。
【００２４】
一方、袋体１の底面部２を形成している上記前後方向に長い矩形状の合成樹脂シート2a1 上には、図２に示すように、この合成樹シート2a1 と同じ幅で長さが短い矩形状の合成樹脂シート2a2 を重ね合わせて上記両側面部3a、3aに形成している前後空気封入室４、４の下端連通口８に対応する部分以外の四方周縁部を互いに熱融着21によって一体に接合することにより、この熱融着21によって囲まれた合成樹脂シート2a1 、2a2 の対向面間の空間部を空気通路室７に形成してあり、上記熱融着されていない部分を上記各空気封入室４、４の連通口８に連通させている。
【００２５】
なお、底面部２を形成している合成樹脂シート2a1 の内面に重ねている上記合成樹脂シート2a2 の両側端と上記両側面部3a、3aを形成している合成樹脂シート3a1 の内面に重ねている合成樹脂シート3a2 の下端とは一体に連設してあり、従って、上記上記空気封入室４の形成時に融着させる上記合成樹脂シート3a1 、3a2 の下端縁部同士の融着部20と、底面部２を形成している合成樹脂シート2a1 とこの内面に重ねている上記合成樹脂シート2a2 との両側端縁部同士の融着部21とは同じであって融着されない部分によって形成される上記連通口８は共通している。
【００２６】
また、袋体１の胴体２の前後面部3b、3cは、下端から上端に向かって徐々に幅狭く形成されてあり、従って、袋体１は下端から上端に向かってその開口幅を徐々に幅狭くなるように形成されている。
【００２７】
さらに、袋体１の前後部から上方に向かって、調節留め具11により周長の長さを調節可能にした平帯状の肩掛け紐12を取り付けている。この肩掛け紐12は、袋体１を肩から吊り下げて携行可能な長さを有し、その一部を袋体１の底面部２の外底面における前後部に取り付けている紐挿通環部13、14から袋体２の前後面部3b、3cの上端部に取り付けている紐挿通環部15、16に挿通して袋体２の外底面から前後面部3b、3cに亘って掛け渡すことによりこの紐部分によって袋体１を支持させるように構成していると共に、前後面部3b、3cから上方に引き出している紐部分の一方の紐端部に上記調節留め具11を装着し、他方の紐端部をこの調節止め具11に挿通することによって閉ループ状の肩掛け紐12に形成している。なお、調節止め具11は、この調節止め具11に挿通している肩掛け紐12を引き出し、引き戻し可能で且つ所望の周長となるように調節したのち、引き戻し不能に固定するように構成された公知の構造の止め具を採用している。
【００２８】
図においては、このような調節止め具11としてバックル形状のものを示しているが、例えば、図８に示すように、肩掛け紐12の一端部を連結させている偏平筒状の留め具本体11a の前後壁部の上端部に前後方向に貫通する前後挿通孔30、31を設けていると共に、この留め具本体11a に、上記前後挿通孔30、31に連通する中間挿通孔32を設けている操作杆11b を上下摺動自在に挿嵌し、この操作杆11b の下端面と留め具本体11a の内底面との間に操作杆11b を常時、上方に押圧しているスプリング33を介装してなる公知の調節止め具11を採用してもよい。
【００２９】
この調節止め具11によれば、操作杆11b をスプリング33力に抗して押し下げて、その中間挿通孔32を留め具本体11a の前後挿通孔30、31に連通させた状態で肩掛け紐12の他端部をこれらの連通した挿通孔30〜32に引き出し引き戻し自在に挿通して肩掛け紐12の周長を調節可能にしていると共に、調節後に操作杆11b を手放すことによってスプリング33の復元力で該操作杆11b を押し上げ、肩掛け紐12を前後挿通孔30、31の上端面と中間挿通孔32の下端面とで挟着、固定することができる。
【００３０】
このように構成したオカメラ撮影用手ぶれ防止具の使用態様を説明すると、携行時においては、袋体１内にビデオカメラＡを収納すると共に、肩掛け紐12の周長を長くして袋体１を図６の二点鎖線で示すように、この肩掛け紐12によって肩から吊り下げた状態にして携行する。なお、袋体１内にビデオカメラＡを収納する際には、両側面部3a、3aに設けている空気封入室４、４内の空気を注入口８から適量、抜いたのちビデオカメラＡを収納し、しかるのち、注入口から空気を吹き込むことにより底面部２に設けている空気連通室７を通じて全ての空気封入室４を十分に膨脹させ、注入口９を栓体10によって閉止する。そうすると、膨脹した空気封入室４の対向面がビデオカメラＡの外形に沿って変形しながらビデオカメラＡを弾性的に挟着、保持すると共に、外部から衝撃力等を受けても空気封入室４のクッション性によってビデオカメラＡの損傷を防止することができる。
【００３１】
また、撮影時においては、ビデオカメラＡを袋体１内から取り出して把持すると共に、調節止め具11から肩掛け紐12をその周長（ループ長）が短くなる方向に引き出すことにより袋体１を吊り上げ、図６、図７に示すように該袋体１の凹状上縁部６を脇の付け根に圧着させる。この際、肩掛け紐12は袋体１の外底面から前後両側面に亘って掛け渡しているので、袋体１が底部側から脇に強固に圧着された状態で固定させることができる。
【００３２】
この状態にして、袋体１における外側に向けている側面部3a側の膨脹している空気封入室４、４間の凹部５上にビデオカメラＡを把持している腕の上腕を受止させ、手ぶれの発生を防止しながら撮影を行うものであり、撮影を中断する場合には、袋体１上から上腕を外して腕を自由に動かせる楽な姿勢にし、再び撮影を行う際にはその上腕を上記袋体１上に上記のように支持させる。
【００３３】
また、撮影が終了すると、肩掛け紐10の周長を長くして袋体１を腰部まで吊り下ろし、この袋低１内にビデオカメラＡを上記のように収納して携行する。
【符号の説明】
【００３４】
１  袋体
２  底部
３  胴体部
3a、3a  両側面部
４、４  空気封入室
５  凹部
７  空気通路室
８  連通口
９  注入口
11  調節止め具
12  肩掛け紐
【図１】
2011049718.tif 000003
【図２】
2011049718.tif 000004
【図３】
2011049718.tif 000005
【図４】
2011049718.tif 000006
【図５】
2011049718.tif 000007
【図６】
2011049718.tif 000008
【図７】
2011049718.tif 000009
【図８】
2011049718.tif 000010